(57)【特許請求の範囲】
【請求項１】
ピンを該ピンの径方向に沿って抜き取り可能に収容するピン収容凹部を備えたピン保持部と、前記ピンに嵌合する留め具を、前記ピンの抜き取り方向と同方向に沿い、且つ前記留め具の径方向に沿って抜き取り可能に収容する留め具収容凹部を備えた留め具保持部とを、相互に前記留め具が前記ピンに嵌合する方向に接近可能に連結したピアス用穿孔器であって、
前記ピン保持部と前記留め具保持部とにわたり、前記ピンの前記留め具への嵌合時に、相互に連結することで、前記ピン保持部と前記留め具保持部との離間を阻止するように設けられた連結部を、少なくとも具備し、
前記ピン収容凹部は、前記ピンの軸方向、且つ前記留め具側に向かって開口されたピン軸側開口部と、前記ピン軸側開口部と連続するように、前記ピンの抜き取り方向に開口されると共に、前記ピンが前記ピン軸側開口部から突出する長さに開口されたピン径側開口部とを備え、
前記留め具収容凹部は、前記ピン軸側開口部と対向するように開口されると共に、前記留め具の抜き取り方向、及び留め具の軸方向と交差する方向の幅を、前記留め具の径未満として開口された留め具軸側開口部と、前記留め具軸側開口部と連続するように、前記留め具の抜き取り方向と同方向に開口されると共に、前記留め具軸側開口部の前記幅よりも幅広に開口された留め具径側開口部とを備え、
前記連結部は、前記ピン保持部又は前記留め具保持部の一方に設けられた連結体と、前記ピン保持部又は前記留め具保持部の他方に設けられ、前記連結体が連結される被連結体を備えていることを特徴とするピアス用穿孔器。
【請求項２】
前記ピン径側開口部を開放可能に閉鎖する蓋体を更に備え、前記蓋体は、蓋体支持部を介して前記ピン径側開口部を開放する方向に離脱するように支持され、前記蓋体支持部は、前記蓋体に形成された掛合部と、前記ピン保持部に形成され、前記掛合部を掛合解除可能に掛止した掛止部とを備え、前記掛止部に対する前記掛合部の掛止を解除することによって、前記蓋体が前記ピン径側開口部を開放する方向に離脱するようにされていることを特徴とする請求項１記載のピアス用穿孔器。
【請求項３】
前記留め具保持部に、前記掛止部に対する前記掛合部の掛止を解除する掛止解除部を更に備えると共に、前記掛合部を前記掛止部に対して接近、及び離間するように移動可能とすると共に、接近状態において前記掛止部に掛止され、前記掛止解除部によって離間して、前記掛止部に対する掛止が解除されるように設け、前記掛止解除部は、前記ピン保持部と前記留め具保持部との接近動作に伴って、前記掛合部に接触すると共に、前記掛合部を、該掛合部の前記掛止部に対する掛止状態を解除する方向に動かす接触部を備えていることを特徴とする請求項２記載のピアス用穿孔器。
【請求項４】
前記蓋体を前記ピン保持部に一体となるように接続する接続部を備え、前記接続部は、前記蓋体を、前記ピン径側開口部を開放する方向に回転可能に接続するようにされていることを特徴とする請求項２又は３記載のピアス用穿孔器。
【請求項５】
前記ピン保持部と前記留め具保持部とを相互に離間する方向に付勢するように配置された付勢部を、更に備えていることを特徴とする請求項１乃至４いずれか１項記載のピアス用穿孔器。
【請求項６】
少なくとも、前記ピン保持部、及び前記留め具保持部、並びに前記付勢部が、一体成型された成型品から構成されていることを特徴とする請求項５記載のピアス用穿孔器。
【発明の詳細な説明】
【技術分野】
【０００１】
本発明は、耳たぶ等の身体組織にピアス用の孔を開けるためのピアス用穿孔器に関し、一回の穿孔操作後には使用不可となる機能を有するピアス用穿孔器に関する。
【背景技術】
【０００２】
ピアス用穿孔器は、下記、特許文献１に記載されているように、相互にスライドするように嵌合された二つのカバー体の一方に、身体組織を穿孔するピンが抜き取り可能に保持され、他方にピンが嵌合する留め具が抜き取り可能に支持されており、この二つのカバー体を互いに近づくようにスライドさせることで、ピンが身体組織を貫通すると共に、留め具に嵌合するようにされ、カバー体を互いに離間するようにスライドさせることで、ピンがカバー体から抜き取られて留め具側のカバー体に移動し、この留め具側のカバー体から留め具を抜き取ることで、身体組織にピンと留め具を装着することができるようにされたものが知られている。
【先行技術文献】
【特許文献】
【０００３】
【特許文献１】特開２０１４−１８２０５号公報
【発明の概要】
【発明が解決しようとする課題】
【０００４】
特許文献１の従来技術によるピアス用穿孔器は、ピアス孔の穿孔精度が良く、安全性が高いものである。
【０００５】
特許文献１に記載の従来技術は、二つのカバー体が付勢力によって互いに離間する方向に付勢されており、穿孔後には、二つのカバー体が付勢力によって元の位置に復帰するものであるため、ピンと留め具の装着後には、新たなピンと留め具をカバー体に取り付けることで、使用後のピアス用穿孔器を再度使用することが可能なものである。
【０００６】
しかしながら、使用後のピアス用穿孔器を再度使用することは、衛生上、好ましくない。すなわち、ピアス用穿孔器においては、滅菌された状態でユーザーに提供されるものであり、使用後のピアス用穿孔器を衛生上問題が生じないように滅菌して再使用するには、ＥＯＧガス滅菌設備等の高価な設備が必要となる。
【０００７】
しかしながら、このような高価な設備を個人ユーザーが用意するのは不可能であり、個人ユーザーによるアルコールの清拭や煮沸消毒程度で再使用した場合には、重大な身体危害が懸念される。
【０００８】
その上、ピアス用穿孔器は、本来であれば、使い捨てとなるものであるので、何度も繰り返し使用できるような強度や構造を有するものではなく、再使用によって、穿孔中に思わぬ事故が発生するおそれがある。
【０００９】
そのため、製造者側や販売側では、取り扱い説明書等で、再使用による衛生面や破損等の危険性を記載し、再使用が不可であることを十分に知らしめているが、個人ユーザーによるピアス用穿孔器の再使用が行われている可能性があるため、ピアス用穿孔器の個人ユーザーによる再使用できない構造が望まれている。
【００１０】
また、特許文献１に記載の従来技術では、カバー体にピンを保持する構造が、ピンを挟持する挟持具をカバー体に設けられた収容室に収容保持する構造であり、カバー体の互いに近づく方向のスライドでピンが留め具に嵌合され、カバー体の付勢力による互いに離間する方向のスライドで、挟持具が収容室から抜き取られるようにされている。
【００１１】
抜き取られた挟持具は、半割りされてピンから脱落し、互いに嵌合されたピンと留め具のみが身体組織に残るようにされている。
【００１２】
挟持具は、ピンと留め具の嵌合後に、カバー体の互いに離間する方向のスライドで、収容室からスムースに抜き取りできることが要求され、且つ挟持具が収容室に収容保持されている状態で、挟持具が収容室から抜け落ちないように保持できることが要求される。
【００１３】
前述の挟持具のスムースな抜き取りを達成するには、挟持具と収容室との隙間を大きくすれば、挟持具と収容室との接触抵抗が小さくなってスムースに抜き取ることができるが、収容室による挟持具の収容保持の確実性が低下してしまうという問題が生じる。
【００１４】
逆に、挟持具と収容室との隙間を小さくして接触抵抗を大きくすることで、収容室による挟持具の収容保持の確実性を高めることができるが、大きい接触抵抗によって挟持具がスムースに抜き取ることができなくなるという問題が生じる。
【００１５】
そのため、挟持具のスムースな抜き取りと確実な挟持具の収容保持とを両立させることができるような隙間が生じるように、挟持具と収容室とを設計している。
【００１６】
一般にピアス用穿孔器は、熱硬化性樹脂材が用いられ、この熱硬化性樹脂材を成形型によって成型されており、この成型時において成形型を加熱して成形し、硬化後に脱型する。
【００１７】
この脱型直後の成型品は高温であり、脱型後に徐々に冷やされることで成型品が収縮するため、使用する熱硬化性樹脂材の収縮率を考慮して設計された成形型を用いて、同一の熱硬化性樹脂材を使用し、且つ成型温度や成形時間を同一として成型するようにしている。
【００１８】
しかしながら、設計上、挟持具のスムースな抜き取りと確実な挟持具の収容保持とを両立させることができるものであっても、挟持具、及び収容室を有するカバー体の脱型後において、収縮誤差や冷却時の気温等で成型品の収縮量が異なることがあり、これによって、挟持具と収容室とに成型誤差が生じ、挟持具のスムースな抜き取りができない、或いは確実な挟持具の収容保持ができないという問題が生じる。
【００１９】
すなわち、挟持具のスムースな抜き取りができない、或いは確実な挟持具の収容保持ができないということによって、穿孔動作が不安定になってしまうという問題が生じていた。
【００２０】
本発明は、このような問題に対処することを課題の一例とするものである。すなわち、ピアス孔の穿孔後の再使用をできなくすることができると共に、ユーザーに対する衛生面を含む安全性を確保できること、安定した穿孔動作ができること、等が本発明の目的である。
【課題を解決するための手段】
【００２１】
このような目的を達成するために、本発明によるピアス用穿孔器は、以下の構成を少なくとも具備するものである。
【００２２】
ピンを該ピンの径方向に沿って抜き取り可能に収容するピン収容凹部を備えたピン保持部と、前記ピンに嵌合する留め具を、前記ピンの抜き取り方向と同方向に沿い、且つ前記留め具の径方向に沿って抜き取り可能に収容する留め具収容凹部を備えた留め具保持部とを、相互に前記留め具が前記ピンに嵌合する方向に接近可能に連結したピアス用穿孔器であって、前記ピン保持部と前記留め具保持部とにわたり、前記ピンの前記留め具への嵌合時に、相互に連結することで、前記ピン保持部と前記留め具保持部との離間を阻止するように設けられた連結部を、少なくとも具備し、前記ピン収容凹部は、前記ピンの軸方向、且つ前記留め具側に向かって開口されたピン軸側開口部と、前記ピン軸側開口部と連続するように、前記ピンの抜き取り方向に開口されると共に、前記ピンが前記ピン軸側開口部から突出する長さに開口されたピン径側開口部とを備え、前記留め具収容凹部は、前記ピン軸側開口部と対向するように開口されると共に、前記留め具の抜き取り方向、及び留め具の軸方向と交差する方向の幅を、前記留め具の径未満として開口された留め具軸側開口部と、前記留め具軸側開口部と連続するように、前記留め具の抜き取り方向と同方向に開口されると共に、前記留め具軸側開口部の前記幅よりも幅広に開口された留め具径側開口部とを備え、前記連結部は、前記ピン保持部又は前記留め具保持部の一方に設けられた連結体と、前記ピン保持部又は前記留め具保持部の他方に設けられ、前記連結体が連結される被連結体を備えていることを特徴とするピアス用穿孔器である。
【発明の効果】
【００２３】
このような特徴を有することで本発明のピアス用穿孔器は、以下の効果を奏する。すなわち、ピアス孔の穿孔後の再使用をできなくすることができると共に、ユーザーに対する衛生面を含む安全性を確保でき、且つ安定した穿孔動作ができる。
【図面の簡単な説明】
【００２４】
【図１】本発明に係る第一実施形態のピアス用穿孔器の斜視図であり、ピン保持部と留め具保持部とを離間させた状態を示す。
【図２】図１の（２）-（２）線断面図である。
【図３】図１の（３）-（３）線断面図である。
【図４】（ａ）は図１の（４）-（４）線断面図であり、（ｂ）は、（ａ）の（４ｂ）-（４ｂ）線断面図である。
【図５】ピン保持部と留め具保持部とを接近方向に中途までスライドさせた状態を示す断面図である。
【図６】ピン保持部と留め具保持部とを接近方向に最後までスライドさせた状態を示す断面図である。
【図７】成型品の状態を示す斜視図である。
【図８】図７の（８）-（８）線断面図である。
【図９】本発明に係る第二実施形態のピアス用穿孔器の斜視図であり、ピン保持部と留め具保持部とを離間させた状態を示す。
【図１０】図９の（１０）-（１０）線断面図である。
【発明を実施するための形態】
【００２５】
本発明のピアス用穿孔器は、前記ピン保持部と前記留め具保持部とを相互に離間する方向に付勢するように配置された付勢部を、更に備えていることが好ましい。
【００２６】
また、前記ピン径側開口部を開放可能に閉鎖する蓋体を更に備え、前記蓋体は、蓋体支持部を介して前記ピン径側開口部を開放する方向に離脱するように支持され、前記蓋体支持部は、前記蓋体に形成された掛合部と、前記ピン保持部に形成され、前記掛合部を掛合解除可能に掛止した掛止部とを備え、前記掛止部に対する前記掛合部の掛止を解除することによって、前記蓋体が前記ピン径側開口部を開放する方向に離脱するようにされていることが好ましい。
【００２７】
また、前記留め具保持部に、前記掛止部に対する前記掛合部の掛止を解除する掛止解除部を更に備えると共に、前記掛合部を前記掛止部に対して接近、及び離間するように移動可能とすると共に、接近状態において前記掛止部に掛止され、前記掛止解除部によって離間して、前記掛止部に対する掛止が解除されるように設け、前記掛止解除部は、前記ピン保持部と前記留め具保持部との接近動作に伴って、前記掛合部に接触すると共に、前記掛合部を、該掛合部の前記掛止部に対する掛止状態を解除する方向に動かす接触部を備えていることが好ましい。
【００２８】
また、前記蓋体を前記ピン保持部に一体となるように接続する接続部を備え、前記接続部は、前記蓋体を、前記ピン径側開口部を開放する方向に回転可能に接続するようにされていることが好ましい。
【００２９】
また、少なくとも、前記ピン保持部、及び前記留め具保持部、並びに前記付勢部が、一体成型された成型品から構成されていることが好ましい。
【００３０】
本発明でいうピンは、ピアスの一部材を構成するものであり、身体組織に貫通する針状を呈し、尖った先端側と軸方向で反対側となる後端側に装飾体が配されたものである。
【００３１】
また、本発明でいう留め具は、ピアスの他部材を構成するものであり、身体組織を貫通したピンの先端側が嵌合して、前述の装飾体と身体組織を挟むようにしてピンを身体組織に保持する環状のものである。
【００３２】
以下、本発明に係る第一実施形態のピアス用穿孔器Ａを図１〜図８に基づいて説明する。尚、以下で説明する各実施形態は、本発明を限定するものではない。
【００３３】
ピアス用穿孔器Ａは、ピアスの一部材であるピンＢ１を抜き取り可能に収容するピン収容凹部１０を備えたピン保持部１と、ピン収容凹部１０側の端面と同一方向の端面に、ピアスの他部材である留め具Ｂ２を抜き取り可能に収容する留め具収容凹部２０を備えた留め具保持部２と、ピン保持部１と留め具保持部２とをピンＢ１の軸方向に沿って相互に離間させるように付勢するように配置された付勢部３とを備えている。
【００３４】
ピン保持部１と留め具保持部２とは、レール部Ｃを介して、ピンＢ１の軸方向に沿って相互に接近可能に連結されており、付勢部３の付勢力に抗して接近させることによって、ピンＢ１が留め具Ｂ２に嵌合できるようにされている。
【００３５】
また、ピン保持部１と留め具保持部２とは、付勢部３の付勢力によって、離間した状態が保持されており、離間した状態において、ピンＢ１の先端と留め具Ｂ２との間隔が、身体組織の厚みを超える間隔となる位置で保持されている。
【００３６】
また、ピン保持部１と留め具保持部２とは、ピンＢ１と留め具Ｂ２とが同軸となるように向かい合っており、接近させることで、ピンＢ１が留め具Ｂ２に嵌合するようにされている。
【００３７】
尚、以下の説明では、ピン収容凹部１０側、及び留め具収容凹部２０側を上側、付勢部３側を下側、ピン保持部１と留め具保持部２とが接近・離間する方向（ピンＢ１の軸方向）、及び上下方向に対して直交する方向（水平方向）を幅方向とする。また、接近・離間する方向で対向するピン保持部１と留め具保持部２の面を対向面として、夫々に符号１１、２１を付す。
【００３８】
ピン保持部１は、対向面１１から接近・離間する方向に沿って凹設された移動用凹部１Ａが設けられており、この移動用凹部１Ａによって、ピン保持部１の上下に、夫々上側突出部１Ｂと下側突出部１Ｃが形成されている。
【００３９】
ピン収容凹部１０は、ピン保持部１における上側突出部１Ｂの上面１３に設けられており、上側突出部１Ｂの先端側の対向面１１に、ピンＢ１の軸方向に沿って開口されたピン軸側開口部１０Ａと、上側突出部１Ｂの上面１３に、ピン軸側開口部１０Ａと連続すると共に、上方（ピン保持部１の外側）に向かい、且つピンＢ１がピン軸側開口部１０Ａから前方に突出する長さに開口されたピン径側開口部１０Ｂとを備えており、これにより、ピン径側開口部１０ＢからピンＢ１を上方に抜き取ることができるようにされている。
【００４０】
ピン収容凹部１０は、形態の異なるピンＢ１、Ｂ１’を収容できるように形成されており、ピン径側開口部１０Ｂの中途部に、ピンＢ１の後端に固着された装飾体Ｂ３が収容される収容部１００Ａが形成され、ピン軸側開口部１０Ａと反対側のピン径側開口部１０Ｂの端部にピンＢ１’の後端に固着され、装飾体Ｂ３と形態の異なる装飾体Ｂ３’が収容される収容部１００Ａ’が形成されている。
【００４１】
尚、ピンＢ１は、主に耳たぶに使用するものであり、ピンＢ１’は、主に眉付近やへそ付近等の比較的平坦な部位に使用するものである。
【００４２】
また、ピン径側開口部１０Ｂの中途部は、ピンＢ１’の折り曲げ形状に対応するように下方に向かって深く形成されており、これによって、中途部を折り曲げ形成したピンＢ１’を収容することができるようになっている。
【００４３】
すなわち、ピアス用穿孔器Ａは、前述の特許文献１の従来技術のような挟持具を必要とせずに、ピン保持部１に直接設けられたピン収容凹部１０によって、ピンＢ１、Ｂ１’を保持することができ、しかも、形態の異なる装飾体Ｂ３、Ｂ３’を有すると共に、形態の異なるピンＢ１、Ｂ１’の双方を保持することができるものである。
【００４４】
付勢部３は、図２〜図６に示すように、長手側が湾曲変形する長方形、且つピン保持部１、及び留め具保持部２と幅方向で同幅とした薄板状を呈するものであり、ピン保持部１の対向面１１とは反対側の面とピン保持部１の下面１２との角部１４と、留め具保持部２の対向面２１とは反対側の面と留め具保持部２の下面２２との角部２４とを接離方向で繋ぐように設けられている。
【００４５】
付勢部３は、接離方向の両端部の一方が角部１４に、他方が角部２４に、夫々一体成型により繋がれており、この両端部を除く部位が、ピン保持部１の下面１２、及び留め具保持部２の下面２２に対して接離するようにされている。
【００４６】
この付勢部３は、ピン保持部１と留め具保持部２との離間状態では、図２に示すように、真っ直ぐな薄板形状を呈し、ピン保持部１と留め具保持部２の間で突っ張るようにされており、これによって、離間状態を保持することができ、一方、図５、図６に示すように、ピン保持部１と留め具保持部２との接近動作に伴って湾曲変形することで、接近動作に対して離間する方向への付勢力をピン保持部１と留め具保持部２とに作用させることができるようになっている。
【００４７】
また、付勢部３は、ピン保持部１と留め具保持部２との接近動作によって、ピン保持部１と留め具保持部２とを離間させる付勢力が生じるので、ピン保持部１と留め具保持部２との接近動作を途中で中止したときに、ピン保持部１と留め具保持部２とを離間せることができると共に、離間状態を保持することができる。
【００４８】
ピン保持部１には、ピン保持部１と留め具保持部２とが離間している状態では、ピン径側開口部１０Ｂを閉鎖し、ピン保持部１と留め具保持部２とが接近し、ピンＢ１、Ｂ１’が留め具Ｂ２に嵌合したときに、ピン径側開口部１０Ｂを開放するように設けた蓋体４が備えられている。
【００４９】
蓋体４は、ピン保持部１に対して、幅方向に沿う軸を中心として、ピン径側開口部１０Ｂを開放する方向に回転可能に接続する接続部５を介して、一体となるように接続されている。
【００５０】
また、蓋体４は、ピン保持部１に対して、蓋体４のピン径側開口部１０Ｂを閉鎖する状態を保持、及び保持解除する蓋体支持部６を介して支持されている。
【００５１】
また、蓋体４は、ピン径側開口部１０Ｂを閉鎖した状態において、ピンＢ１、Ｂ１’をピン径側開口部１０Ｂの開口方向から押え付けるようにされており、これによって、ピン収容凹部１０に収容されたピンＢ１、Ｂ１’をガタツキなく保持することができ、これによって、穿孔動作の確実性を高めることができる。
【００５２】
また、蓋体４は、透明材で成型されており、ピン径側開口部１０Ｂを閉鎖した状態において、ピン径側開口部１０Ｂから露出するピンＢ１、Ｂ１’、及び装飾体Ｂ３、Ｂ３’の形状や色、更にはデザイン等を、外側から視認でき、これによって、目的のピアスＢを確実に選択することができると共に、ピアスＢの付け間違いを防止することができる。
【００５３】
尚、透明とする部位は、蓋体４のみならず、ピン保持部１、及び留め具保持部２、及び付勢部３を透明にしてもよい。
【００５４】
レール部Ｃは、留め具保持部２の対向面２１の下端側に、下側突出部１Ｃに向かって、ピンＢ１の軸と平行に突出するように一体成型された凸側レール部Ｃ１と、ピン保持部１における下側突出部１Ｃ含む下面１２に一体成型によって凹設され、凸側レール部Ｃ１がスライド可能に嵌合する凹側レール部Ｃ２とを備えており、このようなレール部Ｃで、ピン保持部１と留め具保持部２との接近・離間動作を案内するようになっている。
【００５５】
凸側レール部Ｃ１は、ピン保持部１側に突出するように形成されており、凹側レール部Ｃ２は、凸側レール部Ｃ１がスライド可能に嵌合する幅、及び長さ、且つ下側突出部１Ｃの先端側の対向面１１から凸側レール部Ｃ１が出し入れされるように形成されている。
【００５６】
留め具保持部２の上面２３には、抜き取り方向の開口を上方とする留め具収容凹部２０が凹設されており、留め具保持部２の対向面２１に、ピンＢ１が貫通可能に設けられ、上方が開放された留め具軸側開口部２０Ａと、留め具保持部２の上面２３に、留め具軸側開口部２０Ａと連続すると共に、上方に向かって留め具Ｂ２を上方から抜き取り可能に開口された留め具径側開口部２０Ｂとを備えており、留め具径側開口部２０Ｂから留め具Ｂ２を上方に抜き取ることができるようにされている。
【００５７】
留め具収容凹部２０は、留め具Ｂ２の軸がピンＢ１の軸と同軸となるように留め具Ｂ２を保持し、且つ保持状態において、留め具収容凹部２０が下方を向いたときに抜け落ちず、抜き取るときには、簡単に抜き取ることができる程度の接触摩擦が生じるように、留め具Ｂ２に接触して保持するように形成されている。
【００５８】
接続部５は、蓋体４の端部に一体成型された湾曲変形可能な帯状のものであり、この接続部５の先端部をピン保持部１の上面１３と対向面１１とは反対側の面との角部１５に凹設された接続凹部１６に圧入すると共に、接着等によって固定されている。
【００５９】
この接続部５は、蓋体４がピン径側開口部１０Ｂを閉鎖している状態において湾曲変形し、この湾曲変形によって蓋体を開放方向に回転させる付勢力が生じるようにされており、蓋体４が蓋体支持部６による閉鎖状態の保持が解除されたときに、付勢力によって蓋体４が開放方向に回転してピン径側開口部１０Ｂを全開状態にするようにされている。
【００６０】
ピアス用穿孔器Ａは、蓋体４も、ピン保持部１、及び留め具保持部２、並びに付勢部３と共に、一つの成形型によって一体成型された一つの成型品とすることも可能である。
【００６１】
蓋体支持部６は、蓋体４の幅方向の両側下端の後方側に、夫々幅方向の内側に突設された掛合部６０と、上側突出部１Ｂの幅方向の両側下端に確保され、掛合部６０が幅方向の外側から掛脱可能に掛止される掛止部６１とから構成されている。
【００６２】
蓋体支持部６は、掛止部６１に対して掛合部６０が掛合することで、蓋体４がピン収容凹部１０を閉鎖する状態を保持し、掛止部６１に対する掛合部６０の掛止を解除することで、蓋体４がピン径側開口部１０Ｂを開放可能な状態とするようにされている。
【００６３】
掛合部６０は、蓋体４の幅方向の両側下端から下方に向かって突設された変形部６０Ａの下端に設けられており、変形部６０Ａの変形前の状態において掛止部６１に対する掛合が保持され、変形部６０Ａを外側に拡げるように変形させることで、掛止部６１に対する掛合を解除されるようになっている。
【００６４】
掛止部６１に対する掛合部６０の掛合解除は、ピン保持部１と留め具保持部２との接近に伴って移動する掛止解除部７によって行われる。
【００６５】
掛止解除部７は、図４（ａ）（ｂ）に示すように、凸側レール部Ｃ１の上面Ｃ１１に上方に向かって突設された支持体７０の上端の幅方向両側に接触部７１が設定されており、この掛止解除部７が、ピン保持部１と留め具保持部２との接近に伴って、移動用凹部１Ａ内を移動することで、接触部７１を掛合部６０に接触させると共に、ピンＢ１が留め具Ｂ２に嵌合するまでの移動道中において、掛合部６０を幅方向外側に押し拡げることによって、掛合部６０を掛止部６１から外すことができるようにされている。
【００６６】
掛合部６０は、図４（ｂ）に示すように、留め具保持部２側の端部が、幅方向の内側から外側へ留め具保持部２側が拡がる傾斜面６０Ａとして形成されており、この傾斜面６０Ａに接触部７１が接触すると共に、接近方向に移動することで、掛合部６０が幅方向外側に押し拡げられて、掛止部６１から外れるようにされている。
【００６７】
すなわち、蓋体４は、ピン保持部１と留め具保持部２との離間状態（穿孔動作前）では、蓋体支持部６によって、ピン径側開口部１０Ｂの閉鎖状態が保持されており、ピン保持部１と留め具保持部２を近づける方向にスライドさせて、ピンＢ１、Ｂ１’が留め具Ｂ２に嵌合したとき（穿孔動作）に、蓋体支持部６による閉鎖状態の保持が解除されるようになっている。
【００６８】
したがって、穿孔動作前においては、蓋体４の閉鎖状態が蓋体支持部６によって保持されているので、ピン収容凹部１０に収容されたピンＢ１、Ｂ１’の収容状態を確実に保持することができ、これによって、穿孔動作前のピンＢ１、Ｂ１’のピン収容凹部１０の脱落を防止することができる。
【００６９】
また、穿孔動作によって、蓋体支持部６による蓋体４の閉鎖状態の保持が解除されて、ピン径側開口部１０Ｂを開放することができると共に、留め具Ｂ２に嵌合した状態のピンＢ１、Ｂ１’をピン収容凹部１０から抜き取ることができる。
【００７０】
支持体７０のピン保持部１側の面である対向面２１と、上側突出部１Ｂの下面１２とにわたって、ピン保持部１と留め具保持部２とが接近方向にスライドし、ピンＢ１、Ｂ１’が留め具Ｂ２に嵌合したときに、ピン保持部１と留め具保持部２の離間方向のスライドを阻止するように連結する連結部８が備えられている。
【００７１】
連結部８は、図２、図５、図６に示すように、上側突出部１Ｂの下面１２に下向きに突設された連結保持体８０と、支持体７０の対向面２１にピン保持部１側に突設された連結体８１とからなり、ピンＢ１、Ｂ１’が留め具Ｂ２に嵌合したときに、連結保持体８０と連結体８１とが連結することで、ピン保持部１と留め具保持部２の離間方向のスライドを阻止するようにされている。
【００７２】
連結保持体８０は、上方から下方に向かって平行な掛合保持面８０Ａと、掛合面８０の下端から上方、且つ留め具保持部２側へ向かって傾斜する傾斜面８０Ｂとを備えている。
【００７３】
連結体８１は、支持体７０のピン保持部１側の面に、ピン保持部１側に突設された変形体８１Ａと、変形体８１Ａの先端から上方、且つ留め具保持部２側へ向かって傾斜する傾斜面８１Ｂと、傾斜面８１Ｂの上端から下方、且つ変形体８１Ａの上面に向かって平行な掛合面８１Ｃとを備えている。
【００７４】
連結保持体８０の傾斜面８０Ｂと連結体８１の傾斜面８１Ｂとは、接離方向で正対しており、ピン保持部１と留め具保持部２の接近方向のスライドによって、連結保持体８０の傾斜面８０Ｂに連結体８１の傾斜面８１Ｂが接触すると共に、傾斜に沿って変形体８１Ａが下方に曲り変形し、且つ掛合面８１Ｃが傾斜面８０Ｂを乗り越えて、変形体８１Ａの曲り変形からの戻り反力で、図６に示すように、掛合保持面８０Ａに対面して掛合するようにされている。
【００７５】
すなわち、この連結部８は、連結体８１の掛合面８１Ｃが、連結保持体８０の掛合保持面８０Ａに接離方向で対面するように掛合することによって、ピン保持部１と留め具保持部２との接近状態を、付勢部３の離間方向への付勢力に抗して保持することができる。
【００７６】
連結部８の連結形態は、例示した掛合によるものに限らず、付勢部３の離間方向への付勢力に抗してピン保持部１と留め具保持部２との接近状態を保持できる形態であればよく、例えば、圧入による凹凸嵌合での連結形態としてもよい（図示せず）。
【００７７】
移動用凹部１Ａの幅方向の両側は、壁面１Ｄ、１Ｅによって塞がれており、連結保持体８０と連結体８１との連結状態を、外側から解除できないようにされている。
【００７８】
壁面１Ｄ、１Ｅの上端と上側突出部１Ｂの下面との間には、掛合部６０が掛止部６１に対して掛脱するための空間が確保されている。
【００７９】
このピアス用穿孔器Ａは、図７、図８に示すように、プラスチック材のような熱硬化性樹脂材を用いて、ピン保持部１、及び留め具保持部２、並びに付勢部３が成形型（図示せず）によって一体成型された成型品Ｄであり、この成型品Ｄにおけるピン保持部１の凹側レール部Ｃ２に留め具保持部２の凸側レール部Ｃ１を嵌合させることによって、ピアス用穿孔器Ａが構成できるようにされている。
【００８０】
成型品Ｄは、ピン保持部１、及び留め具保持部２が、互いの対向面１１、２１側を上方に向けた状態であり、且つ上方を向いた状態において下端に位置する角部１４、２４同士が付勢部３で繋がれるように一体成型されている。
【００８１】
壁面１Ｄは、対向面１１の幅方向端部に折り曲げ可能に一体成型されており、角部１４、２４を折り曲げて、凸側レール部Ｃ１を凹側レール部Ｃ２に嵌合させると共に、蓋体４を閉鎖状態にした後に、壁面１Ｄを折り曲げて移動用凹部１Ａを塞ぐようにすることで、凸側レール部Ｃ１を凹側レール部Ｃ２に嵌合させる作業、及び蓋体４を閉鎖状態にする作業（掛合部６０を掛止部６１に掛止する作業）を容易に行うことができる。
【００８２】
壁面１Ｄは、ロック部１０Ｄによって移動用凹部１Ａを塞いだ状態がロックされ、壁面１Ｄを外側から開放できないようにされており、これによって、連結部８の連結状態を外側から外すことができないようにすることができる。
【００８３】
この成型品Ｄにおいては、成型品Ｄの脱型後に、蓋体４が接続部５を介してピン保持部１に対して取り付けられるが、蓋体４、及び接続部５をピン保持部１と一体成型してもよく、このようにすることで、一つの成形型で、ピアス用穿孔器Ａを構成できる成型品Ｄとすることができる（図示せず）。
【００８４】
一般的に、熱硬化性樹脂材を用いた成型品は、成型時において成形型を加熱して行うことから、脱型直後の成型品は高温であり、脱型後に徐々に冷やされることで成型品が収縮するため、使用する熱硬化性樹脂材の収縮率を考慮して製造された成形型を用いて、同一の熱硬化性樹脂材を使用し、且つ成型温度や成形時間を同一として成型するようにしている。
【００８５】
しかしながら、同一の熱硬化性樹脂材を使用しても、収縮誤差や冷却時の気温等で成型品の収縮量が異なることがあるため、複数の成型品を組み立てることで構成される特許文献１の従来技術のピアス用穿孔器では、複数のカバー体（成形品）、及び複数の成形型の管理が面倒である上に、複数の成形型を用意するための費用が嵩んでしまうということがあった。
【００８６】
また、同一の熱硬化性樹脂材を使用し、且つ成型温度や成形時間を同一として成型するが、脱型後の冷却時に収縮の誤差が生じ、これによって、二つのカバー体に寸法の誤差が生じるため、組み立て後の二つのカバー体のスライドに不具合が生じ、穿孔操作が正常、且つスムースに行えなくなるということがあった。
【００８７】
このような従来技術のピアス用穿孔器に対して、本実施形態のピアス用穿孔器Ａは、ピン保持部１、及び留め具保持部２、並びに付勢部３が一つの成形型によって一体成型された一つの成型品Ｄで、ピアス用穿孔器Ａの要部をなし、スムースなスライドを要求されるピン保持部１、及び留め具保持部２、並びにこれらを繋ぐと共に、離間状態を保持する付勢部３の成型誤差を極めて低く抑えることができる。
【００８８】
更に、ピアス用穿孔器Ａは、一つの成形型で、凹側レール部Ｃ２が一体成型されたピン保持部１と、凸側レール部Ｃ１が一体成型された留め具保持部２と、ピン保持部１と留め具保持部２との相互のスライドで湾曲変形する付勢部３とを一体成型したものであるため、ピン保持部１と留め具保持部２のスライドを案内する、凸側レール部Ｃ１と凹側レール部Ｃ２との寸法誤差が極めて少なくなる。
【００８９】
すなわち、凸側レール部Ｃ１と凹側レール部Ｃ２との嵌合状態時に、ガタツキや接触摩擦が大きい部位がない、スライドがスムースに行えるように適合した状態とすることができ、これによって、嵌合によるレール部Ｃのスライド、及びこのスライドに伴う付勢部３の湾曲変形をスムースに行うことができる。
【００９０】
このようなピアス用穿孔器Ａは、ピン保持部１と留め具保持部２の間に身体組織を位置させた状態で、ピン保持部１と留め具保持部２とを相互に接近する方向にスライドさせることで、ピンＢ１、Ｂ１’が身体組織を貫通すると共に、留め具Ｂ２に嵌合する。
【００９１】
ピンＢ１、Ｂ１’が身体組織を貫通して留め具Ｂ２に嵌合したときには、掛止解除部７によって、蓋体支持部６による蓋体４の掛止が解除され、この蓋体４がピン径側開口部１０Ｂを開放する方向に回転し、ピン径側開口部１０Ｂが全開状態となる。
【００９２】
また、接近状態のピン保持部１と留め具保持部２とには、付勢部３の付勢力が相互に離間する方向に作用するが、ピンＢ１、Ｂ１’が身体組織を貫通して留め具Ｂ２に嵌合したときには、連結部８がピン保持部１と留め具保持部２の接近状態を保持しているので、ピン保持部１と留め具保持部２との離間方向のスライドが阻止されている。
【００９３】
このピン保持部１と留め具保持部２の接近状態を保持した状態で、ピアス用穿孔器Ａを下方に引き下ろすことによって、ピンＢ１、Ｂ１’と留め具Ｂ２とを身体組織に残した状態で、このピンＢ１、Ｂ１’と留め具Ｂ２をピアス用穿孔器Ａから抜き取ることができる。
【００９４】
そして、連結部８によって、ピン保持部１と留め具保持部２の接近状態が保持され、しかも壁面１Ｄ、１Ｅによって外側から連結部８の連結を外せないようにしているので、ピアス孔の穿孔後のピアス用穿孔器Ａの再使用を防止することができ、これによって、ユーザーに対する衛生面を含む安全性を確保できる。
【００９５】
更に、このピアス用穿孔器Ａは、ピン保持部１、及び留め具保持部２、並びに付勢部３が一体成型によって成型された成型品Ｄと、蓋体４との２部材で構成されているので、部品管理や組み立てを容易に行うことができる。
【００９６】
また、成型品Ｄに対する蓋体４の取付けが、接続部５の先端部をピン保持部１に設けられた接続凹部１６に圧入して接着等で固定するものであるので、成型品Ｄと蓋体４との間で成型誤差が生じても、確実に固定することができる。
【００９７】
しかも、万が一、ピン保持部１から接続部５が外れたとしても、閉鎖状態の蓋体４が蓋体支持部６によってピン保持部１に対する掛止が保持されているため、閉鎖状態の蓋体４の脱落を防止することができ、蓋体４の開放後においても、ピアス用穿孔器Ａは、再利用ができないものであり、すべて廃棄されるものであるため、何ら問題はない。
【００９８】
このため、ピアス用穿孔器Ａは、接続部５を不要とすることも可能である。ただし、閉鎖状態の蓋体４の脱落を確実に防止するということについて、接続部５の存在は極めて効果的である。
【００９９】
蓋体４は、手によってピン保持部１から取り外すようにしてもよく、この場合、蓋体４を取り外した状態で、ピン保持部１と留め具保持部２とを接近方向にスライドさせて、ピンＢ１、Ｂ１’を留め具Ｂ２に嵌合させるとよい。
【０１００】
次に、本発明に係る第二実施形態のピアス用穿孔器Ａ’を図９、図１０に基づいて説明する。尚、第一実施形態と重複する部位についての説明は、同符号を付すことにより省略する。
【０１０１】
このピアス用穿孔器Ａ’は、蓋体４を備えていないものであり、一体成型されたピン保持部１、及び留め具保持部２、並びに付勢部３とからなるものである。
【０１０２】
本実施形態におけるピン収容凹部１０は、ピンＢ１”、及び装飾体Ｂ３”に対して、ピンＢ１”の軸が留め具Ｂ２の軸と同軸となるようにピンＢ１”を保持し、且つ保持状態において、ピン収容凹部１０が下方を向いたときに抜け落ちず、抜き取るときには、簡単に抜き取ることができる程度の接触摩擦が生じるように、ピンＢ１”、及び装飾体Ｂ３”に接触して保持するように形成されている。
【０１０３】
このようなピアス用穿孔器Ａ’によっても、第一実施形態と同じ効果を奏し、しかも、蓋体４を備えないことにより、蓋体４、及び蓋体支持部６、並びに掛止解除部７を不要とすることができるので、ピアス用穿孔器Ａ’を安価に提供することができる。
【０１０４】
尚、本発明は、例示した実施の形態に限定するものではなく、特許請求の範囲の各項に記載された内容から逸脱しない範囲の構成による実施が可能である。
【符号の説明】
【０１０５】
Ａ：ピアス用穿孔器
Ａ’： ピアス用穿孔器
Ｂ：ピアス
Ｂ１：ピン
Ｂ１’：ピン
Ｂ１”：ピン
Ｂ２：留め具
Ｄ：成型品
１：ピン保持部
２：留め具保持部
３：付勢部
４：蓋体
５：接続部
６：蓋体支持部
７：掛止解除部
８：連結部
１０：ピン収容凹部
２０：留め具収容凹部
１０Ａ：ピン軸側開口部
１０Ｂ：ピン径側開口部
２０Ａ：留め具軸側開口部
２０Ｂ：留め具径側開口部
６０：掛合部
６１：掛止部
７１：接触部
８０：連結保持体
８１：連結体
【図１】
0005989710.tif 000002
【図２】
0005989710.tif 000003
【図３】
0005989710.tif 000004
【図４】
0005989710.tif 000005
【図５】
0005989710.tif 000006
【図６】
0005989710.tif 000007
【図７】
0005989710.tif 000008
【図８】
0005989710.tif 000009
【図９】
0005989710.tif 000010
【図１０】
0005989710.tif 000011